(57)【特許請求の範囲】
【請求項１】
少なくとも第１カメラ部と第２カメラ部とを含む複数のカメラ部で構成される撮像部と、画像を表示可能な表示部と、撮影ボタンとを備えた携帯通信機器であって、
使用するカメラ部を選択するための選択手段と、
音声通信と共に画像の送受信も可能な通信方式を選択、開始するための第一通話開始手段と、
上記選択されたカメラ部より得られる画像を、上記表示部上に第一のウインドウ画面を開き、該第一のウインドウ内に表示することができる表示手段とを有し、
上記第一通話開始手段を操作することにより、通信相手との通信を開始し、該カメラ部からの画像を通信相手に送信することができると同時に通信相手からの画像及びＩＤ情報を受信し、該画像又はＩＤ情報を上記表示部に表示することができ、
上記通信中において、上記撮影ボタンを操作することにより、選択されていないカメラ部が動作可能になり、該選択されていないカメラ部からの画像が、さらに、上記表示部上に第二のウインドウ画面を開き、該第二のウインドウ内に表示することができると同時に通信相手に送信され、
通信相手が備える異なるカメラ部にてそれぞれ撮影された２種類の画像を通信相手から受信した場合は、その一方の画像であってかつ当該２種類の画像を受信するまでは表示部に表示されていなかった画像を上記表示部上に第三のウインドウ画面を開き、該第三のウインドウ内に表示することができることを特徴とする携帯通信機器。
【請求項２】
上記撮影ボタンを、予め定められた所定の時間より短く押下した場合は、静止画を撮影し、該所定時間より長く押下した場合は、その押下している時間内の動画を撮影することを特徴とする請求項１に記載の携帯通信機器。
【請求項３】
上記撮影ボタンを、押下することで上記選択されていないカメラ部が動作可能になり、さらに上記撮影ボタンを押下することによって上記選択されていないカメラ部を介して画像を撮影することができる事を特徴とする請求項１または２に記載の携帯通信機器。
【請求項４】
第二通話開始手段を有し、該第二通話開始手段を操作することにより、画像送信を伴わない通信を開始することができることを特徴とする請求項１から３の何れか１項に記載の携帯通信機器。
【請求項５】
上記第１カメラ部と第２カメラ部が、互いに異なる面上に配置されることを特徴とする請求項１から４の何れか１項に記載の携帯通信機器。
【請求項６】
少なくとも第１カメラ部と第２カメラ部とを含む複数のカメラ部で構成される撮像部と、画像を表示可能な少なくとも第１表示部と第２表示部を含む複数の表示部と、撮影ボタンとを備えた携帯通信機器であって、
使用するカメラ部を選択するための選択手段と、
音声通信と共に画像の送受信も可能な通信方式を選択、開始するための第一通話開始手段と、
通信相手から音声通信と共に画像を受信した場合は該画像を、画像を受信しない場合は通信相手を特定できる情報を上記第１表示部に表示でき、上記選択されたカメラ部より得られる画像を、上記第２表示部上に表示することができる表示手段とを有し、
上記第一通話開始手段を操作することにより、通信相手との通信を開始し、該カメラ部からの画像を通信相手に送信することができると同時に通信相手からの画像を受信することができ、
上記通信中において、上記撮影ボタンを操作することにより、選択されていないカメラ部が動作可能になり、該選択されていないカメラ部からの画像が、上記第２表示部上にウインドウ画面を開き、該ウインドウ内に表示することができ、
通信相手が備える異なるカメラ部にてそれぞれ撮影された２種類の画像を通信相手から受信した場合は、その一方の画像であってかつ当該２種類の画像を受信するまでは表示部に表示されていなかった画像を上記第１表示部上にウインドウ画面を開き、該のウインドウ内に表示することができることを特徴とする携帯通信機器。
【請求項７】
上記撮影ボタンを、予め定められた所定の時間より短く押下した場合は、静止画を撮影し、該所定時間より長く押下した場合は、その押下している時間内の動画を撮影することを特徴とする請求項６に記載の携帯通信機器。
【請求項８】
上記撮影ボタンを、押下することで上記選択されていないカメラ部が動作可能になり、さらに上記撮影ボタンを押下することによって上記選択されていないカメラ部を介して画像を撮影することができることを特徴とする請求項６または７に記載の携帯通信機器。
【請求項９】
第二通話開始手段を有し、該第二通話開始手段を操作することにより、画像送信を伴わない通信を開始することができることを特徴とする請求項６から８の何れか１項に記載の携帯通信機器。
【請求項１０】
上記第１カメラ部と第２カメラ部が、互いに異なる面上に配置される事を特徴とする請求項６から９の何れか１項に記載の携帯通信機器
【請求項１１】
少なくとも第１カメラ部と第２カメラ部とを含む複数のカメラ部で構成される撮像部と、画像を表示可能な少なくとも第１表示部と第２表示部を含む複数の表示部と、撮影ボタンとを備えた携帯通信機器であって、
使用するカメラ部を選択するための選択手段と、
データ通信と共に画像の送受信も可能な通信方式を選択、開始するための第一通話開始手段と、
通信相手からデータ通信と共に画像を受信した場合は該画像を、画像を受信しない場合は通信相手を特定できる情報を上記第２表示部に表示でき、又は／及び上記選択されたカメラ部より得られる画像を、上記第２表示部上に第一のウインドウ画面を開き、該第一のウインドウ内に表示することができると同時に、テキストデータを含むデータ通信の情報を第１表示部上に表示する表示手段とを有し、
上記第一通話開始手段を操作することにより、通信相手との通信を開始し、該カメラ部からの画像を通信相手に送信することができると同時に通信相手からの画像を受信することができ、
上記通信中において、上記撮影ボタンを操作することにより、選択されていないカメラ部が動作可能になり、該選択されていないカメラ部からの画像が、さらに、上記第２表示部上に第二のウインドウ画面を開き、該第二のウインドウ内に表示することができると同時に通信相手に送信され、
通信相手が備える異なるカメラ部にてそれぞれ撮影された２種類の画像を通信相手から受信した場合は、その一方の画像であってかつ当該２種類の画像を受信するまでは表示部に表示されていなかった画像を上記表示部上に第三のウインドウ画面を開き、該第三のウインドウ内に表示することができることを特徴とする携帯通信機器。
【請求項１２】
上記撮影ボタンを、予め定められた所定の時間より短く押下した場合は、静止画を撮影し、該所定時間より長く押下した場合は、その押下している時間内の動画を撮影することを特徴とする請求項１１に記載の携帯通信機器。
【請求項１３】
上記撮影ボタンを、押下することで上記選択されていないカメラ部が動作可能になり、さらに上記撮影ボタンを押下することによって上記選択されていないカメラ部を介して画像を撮影することができることを特徴とする請求項１１または１２に記載の携帯通信機器。
【請求項１４】
第二通話開始手段を有し、該第二通話開始手段を操作することにより、画像送信を伴わない通信を開始することができることを特徴とする請求項１１から１３の何れか１項に記載の携帯通信機器。
【請求項１５】
上記第１カメラ部と第２カメラ部が、互いに異なる面上に配置されることを特徴とする請求項1１から１４の何れか１項に記載の携帯通信機器。
【発明の詳細な説明】
【０００１】
【産業上の利用分野】
本発明は、２つのカメラを搭載した携帯通信機器に関する。
【０００２】
【従来の技術】
従来のカメラ付きの携帯電話の構成を図１２に示す。電波を送受信するアンテナ（１）、通信信号の送受信を切り換えるためのデュプレクサ（３）、受信した信号を復調するための受信部（４）、受信した音声信号を音声として出力するためのスピーカ（２）、送信するための音声を入力するためのマイク（９）、送信するための信号を変調するための送信部（５）、非音声情報を入力したり、本携帯電話を操作するための操作部（８）、受信した非音声情報や送信するための非音声情報、操作に必要な情報を表示するための表示部（７）、受信したメッセージや個人情報及び種々の機能のためのプログラムなどを記憶しておくための記憶部（１２）、カメラなどの画像を撮影するための撮像部（１２１）で構成されている。
【０００３】
このような構成であれば、カメラを図１３に示すように、電話の表示部側に設けている場合、カメラを図１４に示すように、表示部と反対側にカメラを設ける場合があった。図１３の構造であれば、自分自身を撮影して相手に送ったり、ＴV電話として使用する場合に便利である。一方、図１４の構造であれば、例えば道に迷った場合などに風景を撮影して、誰かにその風景画像を送信し、自分の現在位置を確認するなどといった場合に便利であるし、撮影時には、表示部を従来のカメラのファインダーとして使用して被写体を確認するため、表示部と反対側にカメラがあるのが便利である。
【０００４】
また、その両方の利点を利用できるようにカメラを回転可能にして、図１５の如くカメラの向きを表示部側、表示部と反対側のどちらの方向にも向けることが出来る構成や、両方の側にそれぞれカメラを設けた、図１６の如く２つのカメラを搭載した構成も考えられている。
【０００５】
【発明が解決しようとする課題】
しかし、図１３の構造であれば、自分自身を撮影するためには便利であるが、風景を撮影する場合にはカメラを風景側に向けなければならず、カメラを風景側に向けると表示部も風景側に向いてしまうため、使用者はファインダである表示部を使用することができず、被写体を確認して撮影することができない。従って、うまく風景を撮影することができないという欠点があった。
【０００６】
また、図１４の構造であれば、風景を撮影するためには便利であるが、自分自身を撮影したい場合は、表示部が自分の側に向いていないため使用できずファインダとしての機能を果たさない。従って、自分自身を撮影したり、TV電話として使用することができないという欠点があった。
【０００７】
これらの欠点を解決する手段として、図１５に示すような、カメラが回転可能になった構造がある。この構造では、カメラは表示部側、表示部の反対側のどちらの向きにも向けることができるが、可動部があるためその部分が磨耗し傷みやすいという欠点があった。
【０００８】
そこで、図１６のように2つのカメラを搭載することにより、上記の磨耗も問題が解決された。この場合、使用者は、どちらのカメラを使用するのかを選択し、選択したカメラを使用して、自分を撮影したり、風景を撮影したりすることができるようになった。しかし、従来の携帯通信機器では、この２つのカメラを同時に使用できず、例えば、動画撮影をしてTV電話として使用している場合や自分の映像を送りながらチャットを行なっているような場合に、周りの風景や人物を撮影して送るといったことができなかった。
【０００９】
本発明は、上記の問題を解決する方法を提供することを目的とする。
【００１０】
【発明を解決するための手段】
本願発明は、上記問題に鑑みなされたものであり、少なくとも第１カメラ部と第２カメラ部とを含む複数のカメラ部で構成される撮像部と、画像を表示可能な表示部と、撮影ボタンとを備えた携帯通信機器であって、使用するカメラ部を選択するための選択手段と、音声通信と共に画像の送受信も可能な通信方式を選択、開始するための第一通話開始手段と、上記選択されたカメラ部より得られる画像を、上記表示部上に第一のウインドウ画面を開き、該第一のウインドウ内に表示することができる表示手段とを有し、上記第一通話開始手段を操作することにより、通信相手との通信を開始し、該カメラ部からの画像を通信相手に送信することができると同時に通信相手からの画像及びＩＤ情報を受信し、該画像又はＩＤ情報を上記表示部に表示することができ、上記通信中において、上記撮影ボタンを操作することにより、選択されていないカメラ部が動作可能になり、該選択されていないカメラ部からの画像が、さらに、上記表示部上に第二のウインドウ画面を開き、該第二のウインドウ内に表示することができると同時に通信相手に送信され、通信相手が備える異なるカメラ部にてそれぞれ撮影された２種類の画像を通信相手から受信した場合は、その一方の画像であってかつ当該２種類の画像を受信するまでは表示部に表示されていなかった画像を上記表示部上に第三のウインドウ画面を開き、該第三のウインドウ内に表示することができることを特徴とする携帯通信機器である。
【００１１】
また、少なくとも第１カメラ部と第２カメラ部とを含む複数のカメラ部で構成される撮像部と、画像を表示可能な少なくとも第１表示部と第２表示部を含む複数の表示部と、撮影ボタンとを備えた携帯通信機器であって、使用するカメラ部を選択するための選択手段と、音声通信と共に画像の送受信も可能な通信方式を選択、開始するための第一通話開始手段と、通信相手から音声通信と共に画像を受信した場合は該画像を、画像を受信しない場合は通信相手を特定できる情報を上記第１表示部に表示でき、上記選択されたカメラ部より得られる画像を、上記第２表示部上に表示することができる表示手段とを有し、上記第一通話開始手段を操作することにより、通信相手との通信を開始し、該カメラ部からの画像を通信相手に送信することができると同時に通信相手からの画像を受信することができ、上記通信中において、上記撮影ボタンを操作することにより、選択されていないカメラ部が動作可能になり、該選択されていないカメラ部からの画像が、上記第２表示部上にウインドウ画面を開き、該ウインドウ内に表示することができ、通信相手が備える異なるカメラ部にてそれぞれ撮影された２種類の画像を通信相手から受信した場合は、その一方の画像であってかつ当該２種類の画像を受信するまでは表示部に表示されていなかった画像を上記第１表示部上にウインドウ画面を開き、該のウインドウ内に表示することができることを特徴とする携帯通信機器である。
【００１２】
さらに、少なくとも第１カメラ部と第２カメラ部とを含む複数のカメラ部で構成される撮像部と、画像を表示可能な少なくとも第１表示部と第２表示部を含む複数の表示部と、撮影ボタンとを備えた携帯通信機器であって、使用するカメラ部を選択するための選択手段と、データ通信と共に画像の送受信も可能な通信方式を選択、開始するための第一通話開始手段と、通信相手からデータ通信と共に画像を受信した場合は該画像を、画像を受信しない場合は通信相手を特定できる情報を上記第２表示部に表示でき、又は／及び上記選択されたカメラ部より得られる画像を、上記第２表示部上に第一のウインドウ画面を開き、該第一のウインドウ内に表示することができると同時に、テキストデータを含むデータ通信の情報を第１表示部上に表示する表示手段とを有し、上記第一通話開始手段を操作することにより、通信相手との通信を開始し、該カメラ部からの画像を通信相手に送信することができると同時に通信相手からの画像を受信することができ、上記通信中において、上記撮影ボタンを操作することにより、選択されていないカメラ部が動作可能になり、該選択されていないカメラ部からの画像が、さらに、上記第２表示部上に第二のウインドウ画面を開き、該第二のウインドウ内に表示することができると同時に通信相手に送信され、通信相手が備える異なるカメラ部にてそれぞれ撮影された２種類の画像を通信相手から受信した場合は、その一方の画像であってかつ当該２種類の画像を受信するまでは表示部に表示されていなかった画像を上記表示部上に第三のウインドウ画面を開き、該第三のウインドウ内に表示することができることを特徴とする携帯通信機器である。
【００１３】
【発明の実施の形態】
以下、本発明の実施例を、図面に沿って具体的に説明する。
【００１４】
本発明に係る携帯通信機器の実施形態におけるブロック図を図１に示す。図１に示すように、本発明の携帯通信機器は、通信の電波の送受信を行うアンテナ（１）、送受信の信号の流れを切り換えるデュプレクサ（３）、受信された信号を復調する受信部（４）、送信する形態に送信信号を変調処理する送信部（５）、ＣＰＵ等で構成される携帯通信機器のシステム全体を制御する制御部（６）、受信されたメッセージを表示したり、操作のために必要な情報を表示するための表示部（７）、操作キーなどで構成され、携帯通信機器を操作するための操作部（８）、音声通信のための音声を入力するマイク（９）、受信された音声信号を出力するためのスピーカ（２）、表示部側に取り付けられ、ＣＣＤなどで構成されたカメラである撮像部１（１０）及び表示部と反対側に取り付けられた撮像部２（１１）から構成されている。
【００１５】
次に、本願発明である携帯電話の外観図を図２に示す。図２に示すように、操作部（８）は、テンキーの他に撮影ボタン（２１）、通話ボタン（２２）、ＴＶ電話ボタン（２３）、十字キー（２４）、種々の機能を選択、実行するためのFキー（２５）から構成されており、表示部（７）と同一面側に配置されている。また、ＣＣＤなどのカメラからなる撮像部１（１０）が表示部（７）と同一面側に、撮像部２（１１）がその反対面側に配置されている。この時の携帯電話の構造は、ストレート型でも折り畳み型であっても構わない。
【００１６】
この携帯電話をＴＶ電話として使用する発呼する場合の動作を、図３のフローチャートに沿って説明する。
【００１７】
まず待ち受け状態（S３０１）からTV電話をすることを決定する（S３０２）。Fキー（２５）により、カメラ選択画面（図４）を表示する。カメラ選択画面において、両方のカメラを同時に使用する場合は１、外側のカメラ（１１）を使用する場合は２、内側のカメラ（１０）を使用する場合は３を選択する（S３０３）。このステップは省略することもでき、省略した場合は、以前にカメラを使用した場合に選択されたカメラが自動的に選択されるものとする。
【００１８】
次に、選択されたカメラからの画像を表示部（７）に表示する（S３０４）。本願発明は、TV電話としての使用に関するので、一般的には内側のカメラ（１０）が選択される。そこで、ここでは内側カメラが選択されたものとして説明を続ける。
【００１９】
次に、発呼先の相手を指定する（S３０５）。指定方法は、通常の携帯電話における操作と同じであり、テンキーにより電話番号を入力するか、電話帳データを使って選択することができる。電話帳データや入力された電話番号は、表示部（７）に表示される。この時、表示部（７）には、カメラ画像上に重曹して表示しても構わないし、一時的にカメラ画像を消して電話番号等を表示するようにしても構わない。発呼先が選択されると、TV電話通話ボタン（２３）を押下することにより（S３０６）、指定した相手先に発呼する。相手が応答することにより、通話が開始される（S３０７）。通話中の操作（A）については、後述する。TV電話通話ボタン（２３）を操作することにより通話を終了する（S３０８）。
【００２０】
また、TV電話ではなく、通常の電話として使用する場合は、通常の携帯電話と同様に相手先を指定し、通話ボタン（２２）を押下することによって発呼することができる。
【００２１】
次に、着信があった場合についての動作を図５のフローチャートを用いて説明する。
【００２２】
まず待ち受け状態（S５０１）で着呼があったとする（Ｓ５０２）。この場合、発呼者がＴＶ電話を使用しているか、通常の電話を使用しているかはどちらでも構わない。TV電話として機能させて着呼に応答することを決定する（S５０３）。ＴＶ電話通話ボタン（２３）を押下することによりＴＶ電話として着呼に応答し（Ｓ５０４）、通話が開始される（Ｓ５０５）。ここで、ＴＶ電話に使用するカメラは、以前に使用したカメラが使用されて、その画像が表示部（７）に表示されると同時に相手にも送信される（Ｓ５０８）。使用するカメラを変更したい場合は（Ｓ５０６）、Fキー（２５）により、カメラ選択画面（図４）を表示する。カメラ選択画面において、両方のカメラを同時に使用する場合は１、外側のカメラ（１１）を使用する場合は２、内側のカメラ（１０）を使用する場合は３を選択する（S５０７）。このように選択されたカメラからの画像を表示部（７）に表示する（S５０８）。本願発明は、TV電話としての使用に関するので、一般的には内側のカメラ（１０）が選択される。そこで、ここでは内側カメラが選択されたものとして説明を続ける。
【００２３】
このようにして開始されたＴＶ電話の通話を終了する場合は、ＴＶ電話通話ボタン（２３）を操作することにより終了する（Ｓ５０９）
一方、通常の電話で応答する場合は、通話ボタン（２２）を押下することで着呼に応答することで、従来と同様に通話を開始することができる（S５１０）。
【００２４】
次に、ＴＶ電話通話中の動作（A）について、説明する。通話が開始されると図６に示すような画面が表示部（７）に表示される。即ち、相手がＴＶ電話を使用している場合は、相手から送ってきた画像を表示部に表示し、自分が送ろうとする画像がその相手の画像上にウインドウを開く形式で表示される。この時、自分が通常の電話として使用している場合は、カメラは動作していないので、自分の画像のウインドウは開かれない。一方、相手が通常の電話として使用している場合は、相手の画像の代わりに相手の名前や電話番号が表示部（７）に表示される。その時に自分がTV電話を使用していれば、上記と同様にカメラの画像のウインドウが開いて表示される。
【００２５】
この時、使用されているカメラは動画撮影モードになっており、通話相手には、動画画像が送信される。
【００２６】
このように、ＴＶ電話を使用している場合に、一時的に回りの風景など何か他の画像も送りたくなる場合がある。それは、例えばＴＶ電話を使用して移動中に何か珍しい風景を見たり、何か話題となっているものの画像を送りたいなどの状態が発生した場合である。このような場合、ＴＶ電話を動作させたままの状態で、撮影ボタン（２１）を操作することにより、もう一方のカメラ（ここでは、内側カメラがＴＶ電話に使用されているので外側カメラ）による撮影をすることができる。
【００２７】
この場合の動作を、図７のフローチャートを基に説明する。
【００２８】
まずTVとして通話状態にある時（S７０１）、図６（ａ）の如く、内側のカメラの画像を表示部（７）上にウインドウに表示する。このような時、何か撮って相手に送りたい風景があったり、話題の中で送りたい写真や絵などがあった場合（S７０２）、撮影ボタン（２１）を押すと（S７０３）、もう一方のカメラ（ここでは、内側のカメラがTV電話に使用されているので外側のカメラ）が動作し（S７０４）、図６（ｂ）に示すように表示部に外側カメラ用のウインドウが表示されてファインダとして使用できる（S７０５）。このファインダを見ながら撮影ボタン（２１）を押すことで撮影をすることができる（S７０６）。この時、撮影ボタン（２１）を押している時間撮影をすることができ、一定時間以上の長押しをすると、その押下時間内の動画撮影をすることができる（S７０７）。一定時間以下であれば、静止画が撮影される（S７０８）。撮影された映像は、表示の該当するウインドウ内に表示される（S７０９）。このように、もう一方のカメラも使用した場合、相手に2種類の画像を送信することができる。ここで、一定時間とは、例えば1秒とするが、これに限定されるものではなく、使用者が自由に設定できるようにしても構わない。
【００２９】
ここで、表示部（７）上の表示について、説明する。着信応答に場合であっても、発呼の場合であっても、自分の使用するカメラを図４の如く選択することで、図６のような表示になる。内側のカメラ又は外側のカメラのどちらか一方のカメラを選択した場合（図４の２又は３を選択した場合）は、図６（ａ）の如く、表示部（７）の左下に選択されたカメラからの映像が、ウインドウ表示される。このとき、上記のように、撮影ボタン（２１）を押して、もう一方のカメラを動作させた場合は、図６（ｂ）の如く、表示部（７）の右下に新たに動作したもう一方のカメラの画像がウインドウ表示される。一方、両方のカメラを選択した場合（図４の１を選択した場合）、図６（ｃ）の如く、表示部（７）の左下に内側カメラ（１０）の画像を、右下に外側カメラ（１１）の画像をウインドウ表示する。しかし、ＴＶ電話として使用していない場合は、上記のような自分のカメラのウインドウ表示は行なわれない。
【００３０】
一方、相手から送られてくる画像については、図８のように表示される。相手が、内側のカメラ又は外側のカメラのどちらか一方のカメラを選択している場合（図４の２又は３を選択した場合）は、図８（ａ）の如く、表示部（７）の上部に選択されたカメラからの映像が表示される。このとき、上記のように、相手が撮影ボタン（２１）を押して、もう一方のカメラを動作させた場合は、図８（ｂ）の如く、表示部（７）の右上に、相手が新たに動作させたもう一方のカメラの画像がウインドウ表示される。一方、相手が両方のカメラを選択した場合（図４の１を選択した場合）、図８（ｃ）の如く、表示部（７）の上部に内側カメラ（１０）の画像表示し、その右上に外側カメラ（１１）の画像をウインドウ表示する。しかし、相手がＴＶ電話として使用していない場合は、上記のような画像は表示されず、相手の名前もしくは電話番号が表示されるのみである。
【００３１】
次に、2個の表示部を有する携帯通信装置に関する第２の実施形態について説明する。
【００３２】
本発明に係る第２の実施形態におけるブロック図は図１と同様であり、表示部（７）に2個の表示部が含まれる点が異なるのみであるため、ここでは説明を省略する。
【００３３】
次に、第2の実施形態の外観図を図９に示す。図９に示すように、操作部は、テンキー部（９０６）と操作キー部（９０７）からなっており、操作キー部（９０６）には、撮影ボタン、通話ボタン（ＴＡＬＫ）、ＴＶ電話ボタン（ＴＶ）、Fキー（９０８）などから構成されている。表示部（９０３）は、図９に示すように、スライド式に引き出すことができ、操作部と同じ側に第１表示部（９０４）と第２表示部（９０５）が配置されている。また、ＣＣＤなどのカメラからなる撮像部１（９０２）が表示部（９０３）と同一面側に、撮像部２（９０１）がその反対面側に配置されている。
【００３４】
この第２の実施形態においてＴＶ電話として使用し発呼する場合の動作は、図３のフローチャートに同じになるため、図３に沿って説明する。
【００３５】
まず待ち受け状態（S３０１）からTV電話をすることを決定する（S３０２）。Fキー（９０８）により、カメラ選択画面（図４）を表示する。この場合、カメラ選択画面は、第１表示部（９０４）及び第２表示部（９０５）のどちらであっても構わない。カメラ選択画面において、両方のカメラを同時に使用する場合は１、外側のカメラ（９０１）を使用する場合は２、内側のカメラ（９０２）を使用する場合は３を選択する（S３０３）。このステップは省略することもでき、省略した場合は、以前にカメラを使用した場合に選択されたカメラが自動的に選択されるものとする。
【００３６】
次に、選択されたカメラからの画像を第１表示部（９０４）に表示する（S３０４）。本願発明は、TV電話としての使用に関するので、一般的には内側のカメラ（９０２）が選択される。そこで、ここでは内側カメラ（９０２）が選択されたものとして説明を続ける。
【００３７】
次に、発呼先の相手を指定する（S３０５）。指定方法は、通常の携帯電話における操作と同じであり、テンキーにより電話番号を入力するか、電話帳データを使って選択することができる。電話帳データや入力された電話番号は、第2表示部（９０５）に表示される。この時、第１表示部（９０４）において、カメラ画像上に重曹して表示しても構わないし、一時的にカメラ画像を消して電話番号等を表示するようにしても構わない。発呼先が選択されると、TV電話通話ボタン（TV）を押下することにより（S３０６）、指定した相手先に発呼する。相手が応答することにより、通話が開始される（S３０７）。通話中の操作（A）については、後述する。TV電話通話ボタン（TV）を操作することにより通話を終了する（S３０８）。
【００３８】
また、TV電話ではなく、通常の電話として使用する場合は、通常の携帯電話と同様に相手先を指定し、通話ボタン（TALK）を押下することによって発呼することができる。
【００３９】
次に、着信があった場合についての動作を図５のフローチャートを用いて説明する。
【００４０】
まず待ち受け状態（S５０１）で着呼があったとする（Ｓ５０２）。この場合、発呼者がＴＶ電話を使用しているか、通常の電話を使用しているかはどちらでも構わない。TV電話として機能させて着呼に応答することを決定する（S５０３）。ＴＶ電話通話ボタン（TV）を押下することによりＴＶ電話として着呼に応答し（Ｓ５０４）、通話が開始される（Ｓ５０５）。ここで、ＴＶ電話に使用するカメラするカメラは、以前に使用したカメラが使用されて、その画像が第２表示部（９０５）に表示されると同時に相手にも送信される（Ｓ５０８）。使用するカメラを変更したい場合は（Ｓ５０６）、Fキー（９０８）により、カメラ選択画面（図４）を表示する。カメラ選択画面は第１表示部（９０４）に表示される。カメラ選択画面において、両方のカメラを同時に使用する場合は１、外側のカメラ（９０１）を使用する場合は２、内側のカメラ（９０２）を使用する場合は３を選択する（S５０７）。このように選択されたカメラからの画像を第２表示部（９０５）に表示する（S５０８）。本願発明は、TV電話としての使用に関するので、一般的には内側のカメラ（９０２）が選択される。そこで、ここでは内側カメラ（９０２）が選択されたものとして説明を続ける。
【００４１】
このようにして開始されたＴＶ電話の通話を終了する場合は、ＴＶ電話通話ボタン（TV）を操作することにより終了する（Ｓ５０９）
一方、通常の電話で応答する場合は、通話ボタン（TALK）を押下することで着呼に応答することで、従来と同様に通話を開始することができる（S５１０）。
【００４２】
次に、ＴＶ電話通話中の動作（A）について、説明する。通話が開始されると図１０に示すような画面が第１表示部（９０４）に、図１１に示すような画面が第２表示部（９０４）に表示される。即ち、相手がＴＶ電話を使用している場合は、図１０（a）に示すように相手から送ってきた画像を第１表示部（９０４）に表示する。相手が通常の電話を使用している時は、相手に名前もしくは電話番号が表示される。相手が、途中でもう一方のカメラを動作させた場合は、図１０（ｂ）のように、もう一方の画像を第１表示部（９０４）上でウインドウを開いて表示する。また、相手が両方のカメラを使用している場合は、図１０（c）のように内側カメラ（９０２）の画像を第１表示部（９０４）に表示させ、その上にウインドウを開いて外側のカメラ（９０１）の画像を表示する。
【００４３】
一方、自分が送ろうとする画像は、第２表示部（９０５）に表示される。この時、自分が通常の電話として使用している場合は、カメラは動作していないので、第２表示部（９０５）には画像は表示されない。自分の画像のウインドウは開かれない。この時、使用されているカメラは動画撮影モードになっており、通話相手には、動画画像が送信されるものとするが、これに限定されず、静止画であっても構わない。
【００４４】
このように、ＴＶ電話を使用している場合に、一時的に回りの風景など何か他の画像も送りたくなる場合がある。それは、例えばＴＶ電話を使用して移動中に何か珍しい風景を見たり、何か話題となっているものの画像を送りたいなどの状態が発生した場合である。このような場合、ＴＶ電話を動作させたままの状態で、撮影ボタンを操作することにより、もう一方のカメラ（ここでは、内側カメラがＴＶ電話に使用されているので外側カメラ）による撮影をすることができる。
【００４５】
この場合の動作を、第一の実施形態と同様に、図７のフローチャートを基に説明する。
【００４６】
まずTVとして通話状態にある時（S７０１）、図１０（ａ）の如く、内側のカメラの画像を第２表示部（９０５）に表示する。このような時、何か撮って相手に送りたい風景があったり、話題の中で送りたい写真や絵などがあった場合（S７０２）、撮影ボタンを押すと（S７０３）、もう一方のカメラ（ここでは、内側のカメラがTV電話に使用されているので外側のカメラ）が動作し（S７０４）、図６（ｂ）に示すように第２表示部（９０５）に外側カメラ用のウインドウが表示されてファインダとして使用できる（S７０５）。このファインダを見ながら撮影ボタンを押すことで撮影をすることができる（S７０６）。この時、撮影ボタンを押している時間撮影をすることができ、一定時間以上の長押しをすると、その押下時間内の動画撮影をすることができる（S７０７）。一定時間以下であれば、静止画が撮影される（S７０８）。撮影された映像は、第２表示部（９０５）上のウインドウ内に表示される（S７０９）。このように、もう一方のカメラも使用した場合、相手に2種類の画像を送信することができる。ここで、一定時間とは、例えば1秒とするが、これに限定されるものではなく、使用者が自由に設定できるようにしても構わない。
【００４７】
ここで、表示部（９０３）上の表示について、説明する。着信応答の場合であっても、発呼の場合であっても、自分の使用するカメラを図４の如く選択することで、図１１のような表示になる。内側のカメラ又は外側のカメラのどちらか一方のカメラを選択した場合（図４の２又は３を選択した場合）は、図１１（ａ）の如く、第２表示部（９０５）に画像が表示される。このとき、上記のように、撮影ボタンを押して、もう一方のカメラを動作させた場合は、図１１（ｂ）の如く、第2表示部（９０５）上に新たに動作したもう一方のカメラの画像がウインドウ表示される。一方、両方のカメラを選択した場合（図４の１を選択した場合）、図１１（ｃ）の如く、第２表示部（９０５）上に内側カメラ（９０２）の画像を、第２表示部上に開かれたウインドウ内に外側カメラ（９０１）の画像を表示する。しかし、ＴＶ電話として使用していない場合は、第２表示部には何も表示されない。
【００４８】
一方、相手から送られてくる画像については、図１０のように表示される。相手が、内側のカメラ又は外側のカメラのどちらか一方のカメラを選択している場合（図４の２又は３を選択した場合）は、図１０（ａ）の如く、第１表示部（９０４）に選択されたカメラからの映像が表示される。このとき、上記のように、相手が撮影ボタンを押して、もう一方のカメラを動作させた場合は、図１０（ｂ）の如く、第１表示部（９０４）上に、相手が新たに動作させたもう一方のカメラの画像がウインドウ表示される。一方、相手が両方のカメラを選択した場合（図４の１を選択した場合）、図１０（ｃ）の如く、第２表示部（９０４）上に内側カメラ（９０２）の画像を表示し、第１表示部上に開かれたウインドウ内に外側カメラ（９０１）の画像を表示する。しかし、相手がＴＶ電話として使用していない場合は、上記のような画像は表示されず、相手の名前もしくは電話番号が表示されるのみである。
【００４９】
また、第２の実施形態においては、第１表示部（９０４）又は第２表示部（９０５）のどちらかのみを使用し、第１の実施形態の如く、図６及び図８のような表示を行なうこともできる。
【００５０】
また、TV電話としての使用だけでなく、チャットを行なう場合にも適用可能であり、その場合、第１表示部（９０４）がチャット用のテキスト画面として動作し、第２表示部（９０５）が画像表示とすることができる。その時、第２表示部（９０５）は、図６や図８の如く表示され、チャット相手の画像と自分の送信画像を確認することができる。
【００５１】
また、本発明の携帯通信装置は、簡易TV会議システムとしても使用することができ、例えば、外側のカメラを選択してTV電話通話をすることで、その会議会場全体の画像を相手に送信することができ、自分が発言する場合は撮影キーを押しながら話すことで、話している人の画像がウインドウ表示されて相手に送信される。
【００５２】
このように、本願発明は、表示が１つの場合と2つの場合についての実施形態について説明したが、これに限定されるものではない。2つの表示部の役割が入れ替わっても全く問題ないし、2つの表示部の配置形態が如何なる形態であっても構わない。また、表示部が3つ以上あっても、様々な表示形態が可能であり本願発明の思想を反映することができる。
【００５３】
【発明の効果】
本発明は、少なくとも第１カメラ部と第２カメラ部を含む複数のカメラ部で構成される撮像部と、画像を表示可能な表示部と、撮影ボタンを有し、使用するカメラ部を選択するための選択手段と、音声通信と共に画像の送受信も可能な通信方式を選択、開始するための第一通話開始手段と、通信相手から音声通信と共に画像を受信した場合は該画像を、画像を受信しない場合は通信相手を特定できる情報を上記表示部に表示でき、又は／及び上記選択されたカメラ部より得られる画像を、上記表示部上に第一のウインドウ画面を開き、該第一のウインドウ内に表示することができる表示手段とを有し、上記第一通話開始手段を操作することにより、通信相手との通信を開始し、該カメラ部からの画像を通信相手に送信することができると同時に通信相手からの画像を受信することができ、上記通信中において、上記撮影ボタンを操作することにより、選択されていないカメラ部が動作可能になり、該選択されていないカメラ部からの画像が、さらに、上記表示部上に第二のウインドウ画面を開き、該第二のウインドウ内に表示することができると同時に通信相手に送信される事を特徴とする携帯通信機器である。
【００５４】
このような携帯通信機器をTV電話として使用している場合に、周りの風景を撮って相手に送りたくなれば、撮影ボタンを操作するのみ簡単に撮影することができると同時に、その新たに撮影された画像を確認しながら相手に送信することができるという効果を得ることができる。また、TV会議システムとして使用し、会議上全体の画像を映している場合に、撮影ボタンを押して発言者が発話することにより、相手には発言者の画像がウインドウ表示され、誰が発言しているのかを容易に確認できるという使い方ができ、簡易TV会議システムとても使用することができる。
【００５５】
また、本願発明は、少なくとも第１カメラ部と第２カメラ部を含む複数のカメラ部で構成される撮像部と、画像を表示可能な少なくとも第１表示部と第２表示部を含む複数の表示部と、撮影ボタンを有し、使用するカメラ部を選択するための選択手段と、音声通信と共に画像の送受信も可能な通信方式を選択、開始するための第一通話開始手段と、通信相手から音声通信と共に画像を受信した場合は該画像を、画像を受信しない場合は通信相手を特定できる情報を上記第１表示部に表示でき、上記選択されたカメラ部より得られる画像を、上記第２表示部上に表示することができる表示手段とを有し、上記第一通話開始手段を操作することにより、通信相手との通信を開始し、該カメラ部からの画像を通信相手に送信することができると同時に通信相手からの画像を受信することができ、上記通信中において、上記撮影ボタンを操作することにより、選択されていないカメラ部が動作可能になり、該選択されていないカメラ部からの画像が、上記第２表示部上にウインドウ画面を開き、該ウインドウ内に表示することができると同時に通信相手に送信される事を特徴とする携帯通信機器である。
【００５６】
このような携帯通信機器をTV電話として使用している場合に、周りの風景を撮って相手に送りたくなれば、撮影ボタンを操作するのみ簡単に撮影することができると同時に、その新たに撮影された画像を確認しながら相手に送信することができるという効果を得ることができる。また、TV会議システムとして使用し、会議上全体の画像を映している場合に、撮影ボタンを押して発言者が発話することにより、相手には発言者の画像がウインドウ表示され、誰が発言しているのかを容易に確認できるという使い方ができ、簡易TV会議システムとしても使用することができる。また、自分が送信している画像と相手から受信した画像を別の表示部上に表示できるため、両方の画像を容易に区別することができる。
【００５７】
さらに、少なくとも第１カメラ部と第２カメラ部を含む複数のカメラ部で構成される撮像部と、画像を表示可能な少なくとも第１表示部と第２表示部を含む複数の表示部と、撮影ボタンを有し使用するカメラ部を選択するための選択手段と、データ通信と共に画像の送受信も可能な通信方式を選択、開始するための第一通話開始手段と、通信相手からデータ通信と共に画像を受信した場合は該画像を、画像を受信しない場合は通信相手を特定できる情報を上記第２表示部に表示でき、又は／及び上記選択されたカメラ部より得られる画像を、上記第２表示部上に第一のウインドウ画面を開き、該第一のウインドウ内に表示することができると同時に、テキストデータを含むデータ通信の情報を第１表示部上に表示する表示手段とを有し、上記第一通話開始手段を操作することにより、通信相手との通信を開始し、該カメラ部からの画像を通信相手に送信することができると同時に通信相手からの画像を受信することができ、上記通信中において、上記撮影ボタンを操作することにより、選択されていないカメラ部が動作可能になり、該選択されていないカメラ部からの画像が、さらに、上記第２表示部上に第二のウインドウ画面を開き、該第二のウインドウ内に表示することができると同時に通信相手に送信される事を特徴とする携帯通信機器でもある。
【００５８】
このような携帯通信機器でチャットを行ないたい場合に、一方の表示部をチャット用に使用し、もう一方の表示部に相手の画像などを表示することができ、TVチャット機として動作させることができるようになる。さらに、周りの風景を撮って相手に送りたくなれば、撮影ボタンを操作するのみ簡単に撮影することができると同時に、その新たに撮影された画像を確認しながら相手に送信することができるという効果を得ることができる。
【図面の簡単な説明】
【図１】本発明のブロック図
【図２】本発明の外観図
【図３】本発明の発信時のフローチャート
【図４】カメラ選択画面の一実施例
【図５】本発明の着信時のフローチャート
【図６】本発明の第１の実施形態における送信画像に関する表示例
【図７】本発明の通信中のフローチャート
【図８】本発明の第１の実施形態における着信画像に関する表示例
【図９】本発明の第２の実施形態の外観図
【図１０】本発明の第２の実施形態における着信画像に関する表示例
【図１１】本発明の第２に実施形態における発信画像に関する表示例
【図１２】従来技術のブロック図
【図１３】従来技術の第１の外観形状
【図１４】従来技術の第２の外観形状
【図１５】従来技術の第３の外観形状
【図１６】従来技術の第４の外観形状
【符号の説明】
１    アンテナ
２    スピーカ
３    デュプレクサ
４    受信部
５    送信部
６    制御部
7    表示部
８    操作部
９    マイク
１０  撮像部１
１１  撮像部２
２１  撮影ボタン
２２  通話ボタン
２３  TV電話ボタン
２４  十字キー
２５  Fキー
１２１  撮像部
９０１  外側カメラ
９０２  内側カメラ
９０３  表示部
９０４  第１表示部
９０５  第２表示部
９０６  テンキー部
９０７  操作キー部
９０８  Fキー
【図１】
0004203246.tif 000002
【図２】
0004203246.tif 000003
【図３】
0004203246.tif 000004
【図４】
0004203246.tif 000005
【図５】
0004203246.tif 000006
【図６】
0004203246.tif 000007
【図７】
0004203246.tif 000008
【図８】
0004203246.tif 000009
【図９】
0004203246.tif 000010
【図１０】
0004203246.tif 000011
【図１１】
0004203246.tif 000012
【図１２】
0004203246.tif 000013
【図１３】
0004203246.tif 000014
【図１４】
0004203246.tif 000015
【図１５】
0004203246.tif 000016
【図１６】
0004203246.tif 000017